【手続補正書】
【提出日】平成17年5月16日(2005.5.16)
【手続補正１】
【補正対象書類名】明細書
【補正対象項目名】全文
【補正方法】変更
【補正の内容】
【書類名】      明細書
【発明の名称】  シガレット・ライター入れ
【特許請求の範囲】
【請求項１】
喫煙者により選択された位置にシガレット・ライターを保持するためのシガレット・ライター入れであって、
先端が開いている溝形構造を形成するように２つの側壁に接続された少なくとも１つの外壁を含み、
前記両側壁が各々の自由端に設けられたフランジを含み、
前記両側壁が、
（ｉ）前記側壁の各々の折り畳まれた部分とほぼ接するように前記外壁を位置付けるために内側に折り畳みできるように、かつ、
（ｉｉ）前記ライター入れを展開するために外側に向かって動かせるように、構成されるとともに、
（ｉｉｉ）前記ライター入れの内側に向かって広げられる横向きのストッパを含む
、シガレット・ライター入れ。
【請求項２】
請求項１に記載のシガレット・ライター入れにおいて、
前記両側壁の各々が、前記外壁と前記フランジとの間の中央部に配された折り目を有しているシガレット・ライター入れ。
【請求項３】
請求項１に記載のシガレット・ライター入れにおいて、
前記ストッパがスリットによって仕切られた少なくとも一方の前記側壁の底部を含むシガレット・ライター入れ。
【請求項４】
請求項３に記載のシガレット・ライター入れにおいて、
前記スリットが前記側壁の部分同士を摩擦接触させないために十分な幅を持っているシガレット・ライター入れ。
【請求項５】
各側壁に１つづつ配置された少なくとも２つのストッパを含む請求項４に記載のシガレット・ライター入れにおいて、
前記側壁が外側に動かされるときに、前記２つのストッパが内側に自由に動くことのできるシガレット・ライター入れ。
【請求項６】
請求項１に記載のシガレット・ライター入れにおいて、
前記両側壁の各々が、前記外壁と前記フランジとの間の前記側壁上の中央部に配され前記側壁の長さに添って縦方向に延びる折り目を含み、
さらに、前記両側壁が、前記側壁の底部に隣接する前記ストッパを形成するために前記側壁が前記外壁と前記フランジとの間で横方向に形成されたスリットを含むシガレット・ライター入れ。
【請求項７】
セロハン包装紙と平らな支持部材をさらに含む請求項１に記載のシガレット・ライター入れにおいて、
前記セロハン包装紙の材料が、前記側壁の各々の前記折畳まれた部分に対してほぼ接する位置関係となるように前記外壁を位置付けるために前記ライター入れの前記外壁を加圧するシガレット・ライター入れ。
【請求項８】
請求項１に記載のシガレット・ライター入れにおいて、
前記両フランジが内面および外面を含み、さらに、
前記外面には接着剤が塗布されているシガレット・ライター入れ。
【請求項９】
請求項８に記載のシガレット・ライター入れにおいて、
前記接着剤が取り外し可能な保護カバー材料により覆われているシガレット・ライター入れ。
【請求項１０】
喫煙者により選択された位置にシガレット・ライターを保持するためのシガレット・ライター入れであって、
先端が開いた溝を形成するために相互にスペースを開けた一対の側壁に接続された少なくとも１つの外壁を含み、
前記一対の両側壁の各々が、自由端に設けられたフランジを含み、
前記両側壁は、
（ｉ）前記両側壁の各々の折り畳まれた部分とほぼ接する関係に前記外壁を位置付けるために内側に折り畳みできるように、かつ、
（ｉｉ）前記シガレット・ライター入れを形成するように外側に広げることができるように構成されるとともに、
前記側壁の各々が、前記外壁と前記側壁の自由端との間の中央部に配され前記側壁の長さに添って縦方向に延びる折り目を含み、かつ、前記両側壁の底部に隣接する少なくとも１つのストッパを形成するために前記両側壁が前記外壁と前記自由端との間に横向きのスリットを画定し、
これらによって、前記ライター入れが出荷前に平らな支持板上に配されセロハン包装紙で包装される際に、前記セロハン包装紙の材料が、前記側壁の各々の折り畳まれた部分とほぼ接する位置関係となるように前記外壁を位置付けるために前記シガレット・ライター入れの前記外壁を加圧するシガレット・ライター入れ。
【請求項１１】
シガレットの小売流通用のパッケージにおいて、
複数の壁を有する容器を含み、
前記容器が、個別のシガレットを複数収容し抜き取り可能に保持するために採寸され、
前記容器の複数壁の何れか１つの上に、シガレット・ライター入れが設けられ、
前記シガレット・ライター入れが、先端が開いている筒体を形成するために少なくとも一方の側壁によって前記容器に接続された少なくとも１つの外壁を含み、
前記側壁が、
（ｉ）前記容器の何れかの壁とほぼ接するように前記外壁を位置付けるために内側に折り畳みできるように、かつ、
（ｉｉ）前記シガレット・ライター入れを展開するために外側に向かって動かすことができるように構成されるとともに、
（ｉｉｉ）前記シガレット・ライター入れの内側に延びる横向きのストッパを含んでいるパッケージ。
【請求項１２】
シガレットの小売流通用のパッケージにおいて、
複数の壁を有する容器を含み、
前記容器が、個別のシガレットを複数収容し抜き取り可能に保持するために採寸され、
前記容器の壁の何れかの上に、シガレット・ライター入れが設けられ、
前記容器が、シガレット・ライターを収容するために採寸された中央通路を備える折り畳み可能な筒体を形成するために相互にスペースを開けた一対の両側壁によって前記容器に接続された少なくとも１つの外壁を含み、
前記一対の両側壁が、
（ｉ）前記何れかの容器の壁にほぼ接するように前記外壁を位置付けるために前記中央通路に対して内側に折り畳みできるように、かつ、
（ｉｉ）前記シガレット・ライター入れを展開するために外側に向かって動かすことができるように構成されるとともに、
前記シガレット・ライター入れの内側に広がる横向きのストッパを含み、
前記ストッパは、横向きのスリットによって画定される少なくとも何れかの側壁の底部を含むパッケージ。
【請求項１３】
シガレットの小売流通用のパッケージにおいて、
複数の壁を有する容器を含み、
前記容器が、個別のシガレットを複数収容し抜き取り可能に保持するために採寸され、
前記容器の複数壁の何れか１つの上に、シガレット・ライター入れが設けられ、
前記シガレット・ライター入れが、先端が開いている筒体を形成するために相互にスペースを開けた一対の両側壁によって前記容器に接続された少なくとも１つの外壁を含み、
前記一対の両側壁が、
（ｉ）前記容器の何れかの壁に対してほぼ接するように前記外壁を位置付けるために内側に折り畳みできるように、かつ、
（ｉｉ）前記シガレット・ライター入れを展開するために外側に向かって広がることができるように構成されるとともに、
前記両側壁の各々が、前記外壁と前記容器の壁の１つとの間の中央部に配され前記側壁の長さに添って縦方向に延びた折り目を含み、かつ、前記両側壁の底部に隣接する少なくとも１つのストッパを形成するために前記両側壁が前記外壁と前記容器の壁の１つとの間に横向きのスリットを画定し、
これらによって、前記パッケージが出荷前にセロハン包装紙によって包装される際に、前記セロハン包装紙の材料が、前記何れかの容器の壁に対してほぼ接するように前記外壁を位置付けるために前記シガレット・ライター入れの前記外壁を加圧するパッケージ。
【請求項１４】
喫煙用具を搬送するシステムであって、
シガレット・パッケージを含み、
前記シガレット・パッケージが、
複数の壁を含み、複数の個々のシガレットを収容し、抜き取り可能に保持するために採寸された容器と、
前記容器の何れかの壁の上に設けられたシガレット・ライター入れと、
前記シガレット・ライター入れが、先の開いた筒体を形成するために相互にスペースを開けた一対の両側壁によって前記容器の壁に接続される外壁と、を含み、
前記両側壁の各々が、中央部に設けられた折り線と前記シガレット・ライター入れの内側に向かって広がる横向きストッパとを備え、
前記外壁が、前記容器の壁とほぼ接するように外壁とともに側壁が内側に折り畳まれている第１の位置と前記容器から前記外壁が広げられた固定位置との間で動かすことができるように構成され、
前記シガレット・ライター入れの中にシガレットライガーが配されている喫煙用具を搬送するシステム。
【請求項１５】
シガレットの小売流通用のパッケージにおいて、
複数の壁を有する容器を含み、
前記容器が、個別のシガレットを複数収容し抜き取り可能に保持するために採寸され、
前記容器の複数壁の何れか１つの上に、シガレット・ライター入れが設けられ、
前記シガレット・ライター入れが、先端が開いている筒体を形成するために少なくとも１つの側壁によって前記容器に接続された少なくとも１つの外壁を含み、
前記側壁が、
（ｉ）前記容器の何れかの壁とほぼ接するように前記外壁を位置付けるために内側に折り畳みできるように、かつ、
（ｉｉ）前記シガレット・ライター入れを展開するために外側に向かって動かすことができるように構成されるとともに、
（ｉｉｉ）前記シガレット・ライター入れの内側に前記外壁の底部から延びる横向きのストッパを含んでいるパッケージ。
【発明の詳細な説明】
【０００１】
（発明の背景）
１．発明の分野
本発明は、小売販売用のシガレットを収容するパッケージに関し、特にシガレット・ライターを保持するための関連ポケットを有するシガレット・パッケージを提供する。このポケットは、パッケージと一体型になっていて、初めは、パッケージに対して平らに折り畳まれているか、または消費者がポケットを取り付けることもできる。消費者がポケットを拡げることにより、ライターを保持するためのライター入れが提供される。
【０００２】
【従来の技術】
シガレットは、ワイシャツのポケットに入る大きさの、２０本のシガレットを収容する直線で囲まれた小売販売用の容器、または「パッケージ」に入れて売られる。周知のシガレットのパッケージは、シガレットを包む内部フォイル・シートと、容器を形成する糊付けされた紙構造層と、ピッタリと包装されたセロハンの外部層とを含む。いわゆるソフト・パッケージと呼ばれるものは、構造層が柔軟性のある紙で、セロハンが、パッケージの上部先端で引き剥がすことができ、そしてフォイル・シートが開封用のシール・ストリップに隣接した上面の限られた部分の回りで引き剥がされるようになっている。いわゆるハード・パッケージと呼ばれるものは、構造層が厚紙であり、セロハンは、側壁の途中ずっと下まで延びている折り返し式ふたの下で取り去ることができ、そして挿入されたフォイル部分を、引っぱって破ると、シガレットの上部先端部分が露出される。ハード・パッケージであれ、ソフト・パッケージであれ、構造層は、パッケージを形成するためにカットされ、折り畳まれ、糊付けされたシート材料から形成されている。
【０００３】
喫煙者は、またシガレットに火を付けるために、ライターかマッチを携帯しなくてはならない。標準になっている一般的なオプションとしては、使い捨てブタン・ライターがある。これは、しばしば、シガレットのパッケージの高さと厚みにほぼ同じ高さと幅になるように採寸されている。喫煙者がよく経験する一般的な悩みは、ライターの置き忘れである。ライターを置き忘れる可能性を減らすためには、一般的に、ライターを、シガレットと一緒に携帯する、例えば、シガレットを何本か吸った後に容器内にスペースができるとそこにライターを入れておくことができる。同様に、シガレット・パッケージに取り付けるか、またはパッケージを収容するライター入れを持ち、また、シガレット・ライター専用の容器を有するシガレット・ケースか、またはキャディーを提供することが周知の技術である。例えば、グッドナウ（Ｇｏｏｄｎｏｗ）の米国特許第１，２５６，５４９号、デメント（Ｄｅｍｅｎｔ）の第２，３４９，４８８号、クラーク（Ｃｌａｒｋ）の第２，９５８，４１６号、ピサルスキ（Ｐｉｓａｒｓｋｉ）他の第４，０００，８１２号、シャデ二世（ＳｃｈａｄｅＩＩ）他の第４，１９０，１４８号、カプト（Ｃａｐｕｔｏ）他の第４，５８８，０７６号、コップ（Ｋｏｐｐ）の第４，７５０，６１３号、ローズ（Ｒｈｏｄｅｓ）他の第５，６３０，５０３号が、発火装置とシガレットのパッケージの両方を携帯するための種々の機構について開示し、ワイス（Ｗｅｉｓｓ）の仏国特許第１，２２９，３９８号およびティビ（Ｔｉｂｉ）の仏国特許出願第２、６９３、８７８号および、独国特許出願第ＤＥ３１３７３１８Ａ１もまた、シガレットのパッケージと一緒に発火手段を携帯するためのデバイスを含む喫煙用品についても開示している。
【０００４】
シガレットのパッケージとライター入れのキャディーは、シガレットのパッケージとライターを組合わせておくという点で好都合であるが、しかし、喫煙者は、追加の喫煙用具を携帯しなくてはならない。従って、ライターを置き忘れるのと同じ位（特にシガレットの箱が空になった時）簡単にキャディーを置き忘れることになる。さらに、多くのシガレットのパッケージとライターを入れるキャディーは嵩張り、そのため、喫煙者のポケットかまたは財布に入れて持ち歩くには不便である。喫煙者にとっては、別に、シガレット・ケースのような機構を購入し、保有しなくても済む、シガレット・パッケージと一緒にライターを携帯できるようなもっと便利で安価な方法が提供されれば好都合である。
【０００５】
（発明の概要）
本発明は、展開可能なライター入れがシガレットのパッケージの構造層に提供されている小売流通用に改良されたシガレットのパッケージを提供する。このライター入れは、最初、例えば、シガレットのパッケージの内側の側壁に押しつけて平らに折り畳まれ、セロハンで包装される。従って、ライター入れは、喫煙者がそれを使おうとしない限り、パッケージの大きさ以上に嵩張ることはない。パッケージは複数の壁面を有し、従来個々のシガレットを収容し、使い捨て可能な方法で保持できるよう採寸されている。容器は、またその側面、好適には、より薄型の垂直側壁の１つにライター入れを形成するパネルも含む。ライター入れは、好適には、シガレットのパッケージの前側および後側壁に隣接して、パッケージに接合された、スペースを開けた側壁によって、容器に接続されている少なくとも１つの外壁を持っている。ライター入れを使っていない場合は、シガレットを封入する内部容器の壁とほぼ面一になるようにライター入れの壁を位置決めするよう内側に折り畳むことができる。ライター入れの側壁は、ライター入れを展開し、ライターを収容、保持しておくために、外側に向かって拡げることもできる。
【０００６】
（好適な実施形態の詳細な説明）
図１は、パッケージの一部として形成され、ライター１７を保持するための折り畳みができ、拡張できる状態で供給されるライター入れ１５を有する発明の小売販売用のシガレット・パッケージ５を示す。シガレット・パッケージ５は、シガレット容器１０と一体化されたライター入れ１５を含む。従来形の使い捨て（例えば、ブタン）ライター１７も、図１に示されている。楕円形のライターが示されているが、他の形状のライターも周知であり、本発明と一緒に使用できることは理解されるだろう。シガレット容器１０は、通常２０本のシガレットを保持するために直線で囲まれた紙か、厚紙材料を含む。パッケージ材料は図１に示すように、ソフト・パッケージの場合は、通常、紙で、またはハード・パッケージの場合は、より柔軟性の少ない厚紙か、ボール紙である。ソフト・パッケージであれ、ハード・パッケージであれ、図１−図８に示すように、パッケージ５は、上面２０、前面壁２５、背面壁３０、側壁３６、および底面４０を持つ（図４−図６を参照）。
【０００７】
図２において、ライター入れ１５は、外壁４５および一対の側壁５０を含む。ライター入れ１５は、シガレット容器１０とまったく同じパッケージ材料から形成され、または全体的または部分的にシガレット容器１０の表面に、少なくとも部分的に糊付けされて取り付けられる。ライター入れ１５の外壁４５およびその側壁５０は、（上面から底面まで）の長さがほぼ同じ長さであるが、しかし外壁４５は、便利なことに、ライター入れ１５が、通常のブタン・ライターを補完できるように側壁５０のいずれよりも幅が広い。別に、図７に示すように、例えば、もっと円形の断面を有するライターを補完するために、これらの大きさは、種々変えることができる。外壁４５は、シガレット容器１０の壁３５の幅とほぼ同じ位の幅を有する。プルタブ５５は、外壁４５の上部先端に配置される。側壁５０は、外壁４５の側面先端から突出しており、上面から底面まで、外壁４５と同延である。
【０００８】
図４に示す実施形態においては、シガレット・パッケージを形成したシート材料は、前面壁２５または背面壁３０を延長させることによりライター入れまたはポケットが、形成されるような連続長さを含む。その場合、少なくとも１つの側壁５０は、シガレット容器１０に取り付けるための自由端に配置されたフランジ６２を含む。このように、シガレットの容器の壁３５、外壁４５および側壁５０は、シガレット容器１０の側面に吊り下がった、先端が開いていて、折り畳み可能な筒を形成する。
【０００９】
横向きに形成されたスリットは、ストッパ６０（図１、図２、図５および図８に最もよく示される）を形成するように、各側壁５０の底面に隣接して配置される。スリットは、側壁を拡げる際に、ストッパ６０が、少なくとも一部、内側にそらした状態になるように、隣接し合う材料どうしで、擦れ合って摩擦をおこさないように十分な幅を持たせている。各ストッパ６０は、スリットのところで各側壁５０の残り部分から引き離され、シガレット容器１０の外壁４５に一方の先端を、他の一方の先端を壁３５に取り付けた一片のパッケージ材料を含む。こういった構造になっている結果、ストッパ６０は、互いに対して内側に向かい、そして各々の側壁５０の位置から内側に向けて折畳み自由になっており、側壁５０は、ライター入れを拡げるために、相互に引き離す形で外側に向かって拡げられる。ストッパ６０は、ライター入れ１５全体を通して、従来型のシガレット・ライターが滑り落ちないように、各側壁５０の底面近くにまで設けられる。これについては、以下にさらに詳しく開示する。
【００１０】
ライター入れ１５を含む小売販売用シガレット・パッケージ５の一部が、図９−図１２に示すように、他の一片の紙か、または厚紙から裁断されていても構わないことは理解されるだろう。さらに詳細には、他の一片の紙か、または厚紙から作られ、シガレットのパッケージの側壁といった所望の平らな表面に取り付け可能なライター入れ１８は、また、外壁４５および一対の側壁５０を含む。ライター入れ１８の外壁４５およびその側壁５０は、長さ（上面から底面まで）がほぼ同じであるが、外壁４５は、便利なことに、ライター入れ１８が、通常のブタン・ライターを補完するように、いずれの側壁５０よりも、幅が広い。これらの割合は、必要に応じて変えられる。例えば、横断面がもっと丸みをおびたライターを入れるならそのように変えられる。外壁４５は、通常のブタン・ライターの幅とほぼ同じ幅を有する。しばしば、外壁４５は、シガレット容器１０の壁３５とほぼ同じ幅を有する。プルタブ５５は、ライター入れ１８を手で引っ張って開けられるように、外壁４５の上部先端に取り付けられる。側壁５０は、外壁４５の側面先端から突出し、上面から底面まで外壁４５とともに同一の広がりを持っている。
【００１１】
各側壁５０は、フランジ６２を備える。フランジ６２は、各側壁５０の自由端に取り付けられている。ライター入れ１８を所望の表面６４上に位置決めする前に、接着剤が、各フランジ６２の外部表面上に形成され、取り外し可能な一片の非接着用紙材６３か、またはそれに相当するものによってカバーがかけられる。図示されたようなライター入れが、シガレットのパッケージと、通常のブタン・ライターの大きさに合わせて採寸されていはいるが、図示されたようなライター入れには、また、テーブル、ノート・カバー、机の引き出し、ロッカーの扉、サンバイザ（図１２）等の取り付けに適した表面に取り付けることもできる。このように、外壁４５、側壁５０およびフランジ６２は、先端が開いた折り畳み可能な溝を形成する。
【００１２】
横向きに形成されたスリットは、ストッパ６０（図９−図１２）を形成するように、各側壁５０の底面に隣接して配置されている。各ストッパ６０はスリットのところで、各側壁５０の残りの部分から切り離され、外壁４５に一方の先端を取り付け、各フランジ６２の下部に他の一方の先端を取り付けた一片のパッケージ材料を含む。こういった構造をしている結果、ライター入れ１８の取付け中は、ストッパ６０が、互いに対し内側に向かって、そして、各側壁５０の位置から内側に向かって折り畳み自由であり、側壁５０は、ライター入れを開けるため、相互に引き離すように、外側に向かって拡げられる。ストッパ６０は、外側壁５０の底面近くに設けられ、従来型のライターが、ライター入れ全体から滑り落ちないように防止するため、ライター入れ１８まで延びている。
【００１３】
また、図１３に示すように、外壁４５の底部分を拡げることにより、ストッパ７０を形成することもできる。ストッパ７０は、外壁４５、側壁５０およびフランジ６２から形成された、先端が開いている折り畳み式の溝によって形成された開口部と、ほぼ同じ外周形状を備える。本実施形態４５において、ストッパ７０は外壁４５の底面先端７１に折り畳んで取り付けられた外部自由端７２を含む。ストッパ７０を展開するには、外部自由端７２が壁３５に噛み合うまで、先端７１に添って、そして壁３５に向かってストッパを折り曲げるだけでよい。通常は、ストッパに壁３５を噛み合わせることで、大抵のライターを支持するには十分なのだが、壁３５にストッパ７０を固定させるために、外部自由端７２の一部に接着剤が塗布される。
【００１４】
本発明のこの実施形態によるライター入れ１８を形成するために、一枚の紙または厚紙の一部と、２つの側壁５０との間に外壁４５を形成するように折り畳まれる。側壁５０の各外部先端部分が、結合フランジ６２を形成するように、縦方向に折り畳まれる。ライター入れ１８の側壁５０は、また、折り目６５が形成され、外壁４５と各フランジ６２との間の中心に配置されるように、上面から底面まで直線に添って縦方向に折り畳まれる。図９および図１０に示すように、各側壁５０がフランジ６２の内側表面に向かって内側に折り畳めるように、各折り目６５により、側壁５０の各部が折り目にそって折り畳むことができる。横方向に走るスリットは、ストッパ６０を形成するように、各側壁５０の１つの先端（底面で）に隣接して形成される。各ストッパ６０は、連続した各々の折り目６５を含むが、しかし、スリットによって切り離され、従って、関連する壁が、ライターを挿入する際に拡げられる場合、若干内側に向って折り畳まれた状態となる。
【００１５】
図１−図７に示す実施形態において、ライター入れ１５と、シガレット容器１０は１つの一体型ユニットとして、一枚の紙か、または厚紙（図７）から形成される。しばしば、ライター入れ１５が形成されるパッケージ材料の一部は、開けた時にほぼ長方形の形状を備える。
【００１６】
図１−図７に示すような小売販売用のシガレット・パッケージ５を形成するために、一枚のパッケージ材料の一部が、折り畳まれて、２つの側壁５０の間に外壁４５を形成する。１つの側壁５０の外部先端部分は、結合フランジ６２を形成するように、縦方向に、さらに折り畳まれる。ライター入れ１５の側壁５０は、また、折り目６５が形成され、外壁４５とシガレットの容器の壁３５との間の中心に配置されるように、上面から底面までの直線に添って、縦方向に折られる。図１および図２に示すように、各折り目６５は、各側壁５０が、シガレット容器１０の先端壁３５に向かって内側に折り畳むことができるように、側面５０の一部を折り目に沿って折り畳むことができる。折り目６５が、一旦、各側壁５０に形成されると、ストッパ６０を形成するために横方向に走るスリットが、各側壁５０の一方の先端（底面で）に隣接して形成される。各ストッパ６０は、連続した各々の折り目６５を含む。１枚のパッケージ材料の残りは、また、従来技術に周知の方法により、シガレット容器１０を形成するように折り畳まれる（図７）。自由端は、その後、小売販売用のシガレット・パッケージ５を完成させるために、パッケージの側面部分に固定される。
【００１７】
シガレット・パッケージ５は、シガレット容器１０によって形成され、フォイルの包装紙で区画された内部スペースを提供することで、そして、２０本以上のシガレットをフォイル紙に包みこむことによって、シガレットの小売販売用に組立られる。上面２０は、シガレットを容器１０に入れて保存しておくために閉められている。中身が詰め込まれ、封入されたシガレットのパッケージ５は、図３の参照番号７５で示すように透明の包装紙で美しく包装される。例えば、中身の風味を損なわないように、小売販売用のシガレットのパッケージを密封しておくのに、セロハンを使うのは周知のことである。
【００１８】
発明の観点によれば、セロハンの包装紙が、小売販売用のシガレットのパッケージ５に適用されると、セロハンの一部が、ライター入れ１５の外壁４５にもたれかかり、つぶれるか、または外壁および側壁４５、５０をパッケージ１０の壁３５に押しつけることになる。すなわち、セロハンにより、ライター入れをシガレットの容器に押しつけてつぶしてしまう。側壁５０と、ストッパ６０は、折り目６５と、ライター入れの角で、ライター入れ１５の中央の通路に向かって内側に折り畳まれる。外壁４５、側壁５０およびストッパ６０の動きは、ライター入れ１５をシガレット容器１０の壁３５に対してほぼ面一になるよう折り畳ませる。このようにして、ライター入れ１５を形成する構成要素は、折り畳まれ、出荷中およびシガレット・パッケージ（図３）が従来通りの方法で自動販売機で販売される間も、セロハンの包装紙によって、容器１０の壁３５にしっかりと固定される。ライター入れ１５は、このように折り畳んでつぶした状態の時、個々のシガレットのパッケージをその後、カートンにパッケージングする際に邪魔にならないし、また、自動販売機などからパッケージを販売する際にも邪魔にならない。ライター入れ１８の場合、同様のプロセスが、その後引き続き、シガレット容器１０の側面を交換するのに適当な支持部材についても行われる。上記に開示された方法による、例えば、ライター入れ１８は、平らな厚紙により支持され、セロハンで包装されて、その後、別にパッケージされたシガレット用付属品として売られるか、またはライター１７の小売販売用のパッケージの中に含められる。
【００１９】
喫煙者は、本発明によって形成される小売用シガレット・パッケージ５を購入する際に、単にシガレット・パッケージから全部のセロハンの包装紙を剥がすだけで、ライター入れ１５を展開することができる。一旦、セロハンの包装紙が剥がされると、喫煙者は、図２、図４および図５に示すように、ライター入れ１５を拡げるために、プルタブ５５を外側に引っ張るだけでよい。便利なことに、本発明は、外壁４５が、（ｉ）側壁５０が、シガレット容器１０の壁３５にほぼ外壁４５とともに面一になるように、内側に折り畳める第一の位置と、（ii）容器の壁３５から外壁４５が拡げられる、固定された位置との間で動かすことができるように、外壁４５が設けられている。さらに詳細には、外壁４５が、シガレット容器１０の壁３５から引っ張って拡げられるにつれ、ライター入れ１５の側壁５０が、シガレットのパッケージ５（図１および図８）の側面の中央にある通路を持つ、ほぼ筒状の構造を形成するように、折り目６５に添って拡がり、互いに対し外側に向かって離れるように動く。
【００２０】
従来型のシガレット・ライター１７は、以下の方法によりライター入れ１５に装着される。ライター１７は、最初に、その底面が、ライター入れ１５の内部と整列するように、方向付けられる。ライター１７は、その後、ライターの底面１７が、容器１０の壁３５と外壁４５と側壁５０の間にライター入れ１５が入るように、ライター入れ１５の中に滑り入れられる。ライター１７が、ライター入れ１５の中に挿入されると、ライター入れ１５がライターを収容する必要に応じて、弾性的に拡げられる。（図６および図８）。ストッパ６０が、スリットにより、上部側壁の拡げたものから切り離されているが、折り目６５が、若干深く底面に折り目が付けられているために、ライター１７をライター入れ１５（図６）に挿入して、側壁５０が膨らんだとしても、ストッパ６０は、上部側壁に対して内側に突き出ている。ライター１７は、その底面が、内側に突き出しているストッパ６０に接触するまで、ライター入れの中に押し込まれる。ライター入れ１５の中の底面の開口部から落ちないように、必要に応じて、ライター１７を取り出したり、ライター入れ１５に再度挿入してみるのもよい。
【００２１】
図９、図１０および図１２において、別々のパッケージ材料から形成されたライター入れ１８は、例えば、従来型のシガレット・パッケージ、デスクの引き出しの内側表面、自動車のサンバイザ１００の表面または他の所望の表面とか場所といった平らな表面上にライター入れを形成するために使用することができる。
【００２２】
本発明のライター入れは、パッケージの左側面に示されているが、どちら側でも装着可能である。同様に、ライター入れは、あまり実用的ではないが、パッケージの前面、背面、上面または底面にも装着可能である。
【００２３】
本発明が「ハード・パッケージ」（図１−図７）か、または「ソフト・パッケージ」（図８）のいずれであれ、本発明の精神または範囲から逸脱することなく、組み込むことができることも理解することができるだろう。
通常、シガレット・パッケージおよびライターを保持するための従来技術の機構に関する上述の問題点を回避した本発明を使用することによって、多数の利点がえられる。改良型のシガレット・パッケージは、ライターの保持機能を使用していない時でも、従来のシガレット・パッケージの標準サイズおよび形状に適合し、しかも、便利なことに、喫煙者はシガレット・パッケージと一緒にライターも携帯できるようになった。
【００２４】
また、ライター入れを組み込むための標準のシガレット・パッケージ・サイズに変更する必要がないというライター保持機能が提供される。ライター入れは、シガレットの容器の側面に、平らに折り畳むことができ、そしてセロハンの包装紙で、そこに固定させておくことができ、従来型パッケージに採寸された既存のシガレット・パッケージか、またはカートンの自販機での販売に影響はない。
【００２５】
使用していない時は、セロハン包みの下に隠されている状態であるから、ライター入れの使用を望む喫煙者だけが、影響を受ける必要がある。また、ライター保持機能が、機構の生産および流通の安価な手段を提供するために、既存のパッケージ材料の延長から作られる改良型シガレット・パッケージも提供される。この機構は、「ソフト・パッケージ」および「ハード・パッケージ」材料と、「レギュラー」および「１００'ｓ」と一緒に使用し、そしてそれらから作ることができる。
【００２６】
パッケージに接着された、改良型シガレット・パッケージは、喫煙者が新しいシガレットのパッケージを買うごとに、新規のライター入れが安価に提供されるため、ライター入れが本来使い捨て（空のパッケージとともに）ができ、将来の使用のために喫煙者が取っておく必要がないという点で喫煙者にとってはさらなる利便性を提供する。
【００２７】
取り付け可能な独立型ライター入れとして、このライター入れは、喫煙者が自分のシガレット・ライターを、所望する表面上に取り付けることができ、また、望めばこの機能をまだ組み込んでいないパッケージにも直接取り付けることができる。
【００２８】
本発明は、本文中に開示され、図面に示された厳密な構造に制限されるものではなく、また、添付の請求の範囲内に入る修正または相当物も含む。
【図面の簡単な説明】
本発明のこれらおよび他の特徴および利点は、本発明のある好適な実施形態によってさらに詳細に開示され、同様の部品には同様の参照番号が付けられている添付の図面を参照しながら説明を読めばよりよく理解することができるだろう。  図１は、本発明の第一の実施形態によるライター入れを有する箱型の小売販売用シガレット・パッケージ（ハード・パッケージ）の斜視図である。
図２は、図１のライター入れの部分斜視図である。
図３は、図１のライター入れの部分平面図であるが、ライター入れがセロハンの包装紙の下で折り畳んでつぶされた第一の位置にある図である。
図４は、図３と類似の部分平面図であり、セロハンの包装紙が取り外されてライター入れを最初に開いた状態にした図である。
図５は、図３および図４と類似の部分平面図であり、一対の逆方向に折り畳み可能なライター入れのストッパを示す。
図６は、図３−図５と類似の部分平面図であり、ライター入れに配置されたシガレット・ライター（破線部分）を示す。
図７は、図１に直線７−７に添って取られた断面図である。
図８は、本発明により形成されたライター入れを有するソフト・パッケージ用の小売販売用シガレット・パッケージに適用された本発明の代替実施形態の斜視図である。
図９は、本発明の第二実施形態によるライター入れを有する箱型の小売向けシガレット・パッケージ（ハード・パッケージ）の斜視図である。
図１０は、図９に示すライター入れの部分斜視図である。
図１１は、図９に示す直線１１−１１に添って取られた断面図である。
図１２は、自動車のサンバイザの側面に固定された本発明の第二実施形態の斜視図である。
図１３は、図９に示すライター入れと類似の部分斜視図であるが、代替ストッパを含む図である。